(57)【要約】本発明は、改善された安定性および改善された性能特性を有するポリシロキサンを含有する新規な濃縮物、ならびに洗濯および洗浄配合物、好ましくは布地ケア組成物におけるその使用に関する。【選択図】なし【特許請求の範囲】
【請求項１】
以下の成分：
Ａ）１つまたは複数のポリシロキサン、
Ｂ）１つまたは複数のエステル油または鉱油、
Ｃ）１つまたは複数の非イオン性界面活性剤、
Ｄ）１つまたは複数の非水性溶媒、
Ｅ）必要に応じて水、
Ｆ）必要に応じて１つまたは複数の酸
を含み、
成分Ｅ）およびＦ）の含有量が、総重量に対し０〜５重量％であることを特徴とする濃縮物。
【請求項２】
以下の成分：
Ａ）合計で、２０重量％〜８０重量％、好ましくは２５重量％〜８０重量％、特に好ましくは３０重量％〜８０重量％、極めて特に好ましくは４０重量％〜７５重量％、最も好ましくは４５重量％〜７５重量％である、存在するすべてのポリシロキサン、
Ｂ）合計で、５重量％〜５０重量％、好ましくは５重量％〜４５重量％、特に好ましくは５重量％〜４０重量％の量で重量、極めて特に好ましくは５重量％〜３５重量％、最も好ましくは１０重量％〜３５重量％である、存在するすべてのエステル油および鉱油、
Ｃ）合計で、１重量％〜２５重量％、好ましくは２重量％〜２０重量％、特に好ましくは２重量％〜１５重量％、極めて特に好ましくは５重量％〜１５重量％である、存在するすべての非イオン性界面活性剤、
Ｄ）合計で、０．１重量％〜５０重量％、好ましくは０．１重量％〜４０重量％、特に好ましくは０．１重量％〜３５重量％、極めて特に好ましくは０．１重量％〜３０重量％、特別に好ましくは０．１重量％〜２５重量％、極めて特別に好ましくは０．５重量％〜２０重量％、最も好ましくは１重量％〜１５重量％である、存在するすべての溶媒、
Ｅ）０重量％〜３重量％、好ましくは０重量％〜２重量％、特に好ましくは０重量％〜１重量％、極めて特に０重量％〜０．５重量％、最も好ましくは０重量％の量、および
Ｆ）合計で、０重量％〜３重量％、好ましくは０重量％〜２重量％、特に好ましくは０重量％〜１重量％、極めて特に好ましくは０重量％〜０．５重量％、最も好ましくは０重量％である、存在するすべての酸
を含む濃縮物であり、
前記重量％値は、前記濃縮物の全体組成に対するものであり、
個々の成分Ａ）〜Ｆ）と任意の追加成分の量は、合計で１００重量％の濃縮物となるように選択されること
を特徴とする請求項１記載の濃縮物。
【請求項３】
成分Ａ）が、ポリエーテルシロキサン、アミノ官能性ポリシロキサン、長鎖アルキル基を有するポリシロキサン、および前記ポリシロキサンの混合物からなる群から選択されるポリシロキサンであることを特徴とする請求項１または２記載の濃縮物。
【請求項４】
成分Ａ）が、式１：
ＭａＤｂＤＡｃＤＢｄＤＣｅＴｆＴＡｇＱｈ    （式１）
（式中、
Ｍ＝［Ｒ２Ｒ１２ＳｉＯ１／２］
Ｄ＝［Ｒ１２ＳｉＯ２／２］
ＤＡ＝［Ｒ１Ｓｉ（Ｒ７ＮＨＲ３）Ｏ２／２］
ＤＢ＝［Ｒ１ＳｉＲ４Ｏ２／２］
ＤＣ＝［Ｒ１ＳｉＲ５Ｏ２／２］
Ｔ＝［Ｒ１ＳｉＯ３／２］
ＴＡ＝［Ｓｉ（ＣＨ２ＣＨ２ＣＨ２ＮＨＲ３）Ｏ３／２］
Ｑ＝［ＳｉＯ４／２］であり、
Ｒ１は、互いに独立して、１〜３０個、好ましくは１〜１８個、特に好ましくは１〜６個、極めて好ましくは１〜３個の炭素原子を有する、同一のまたは異なる、直鎖または分岐鎖の飽和または不飽和炭化水素ラジカルであるか、あるいは６〜３０個の炭素原子を有する芳香族炭化水素ラジカルであり、好ましくはメチルまたはフェニル、特に好ましくはメチルであり、
Ｒ２は、互いに独立して、Ｒ１と同一であるか、１〜３０個、好ましくは１〜１８個、特に好ましくは１〜６個、極めて好ましくは１〜３個の炭素原子を有する直鎖または分岐鎖の飽和または不飽和アルコキシラジカルであるか、あるいはヒドロキシル基であり、好ましくはＲ１、特に好ましくはメチルであり、
Ｒ３は、互いに独立して、水素であるか、あるいは１〜３０個、好ましくは１〜１８個、特に好ましくは１〜６個、極めて好ましくは１〜３個の炭素原子を有する窒素置換炭化水素ラジカルであり、好ましくはアミノエチルラジカルまたは水素、特に好ましくは水素であり、
Ｒ４は、互いに独立して、８〜３０個の炭素原子を有する同一のまたは異なる、直鎖または分岐鎖の飽和またはオレフィン性不飽和炭化水素ラジカルであり、好ましくはデシル−、ドデシル−、テトラデシル−、ヘキサデシル−、オクタデシル−、特に好ましくはヘキサデシル−およびオクタデシル−であり、
Ｒ５は、互いに独立して、１〜３０個の炭素原子を有する、同一のまたは異なる、直鎖または分岐鎖の飽和または不飽和の極性ヒドロキシル置換アミドラジカル、および／または１〜３０個の炭素原子を有する直鎖または分岐鎖の飽和または不飽和の極性ヒドロキシル置換尿素誘導体、および／または１〜３０個の炭素原子を有するヒドロキシル置換カルバメートラジカル、および／または１〜３０個の炭素原子を有するエトキシル化アミンラジカル、および／または１〜３０個の炭素原子を有するグアニジンラジカルまたはアルキレニルグアニジンラジカルであり、
Ｒ７は、互いに独立して、１〜２０個の炭素原子、好ましくは１〜６個の炭素原子、特に好ましくは−Ｃ２Ｈ４−および−Ｃ３Ｈ６−、最も好ましくは−Ｃ３Ｈ６−を有する、同一のまたは異なる、直鎖または分岐鎖の飽和または不飽和二価炭化水素基であり、
ａは、２〜２０、好ましくは２〜１０、特に好ましくは２〜５、極めて特に好ましくは２〜３、最も好ましくは２であり、
ｂは、１０〜５，０００、好ましくは２０〜２，０００、特に好ましくは２０〜１，０００であり、
ｃは、１〜５００、好ましくは１〜２５０、特に好ましくは１〜１００、極めてに特に好ましくは１〜５０、最も好ましくは１〜３０であり、
ｄは、０〜５００、好ましくは０〜２５０、特に好ましくは０〜１００、極めて特に好ましくは０〜５０、最も好ましくは０〜３０であり、
ｅは、０〜５００、好ましくは０〜２５０、特に好ましくは１〜１００、極めて特に好ましくは１〜５０、最も好ましくは１〜３０であり、
ｆは、０〜２０、好ましくは０〜１０、特に好ましくは０〜５、極めて特に好ましくは０〜２、最も好ましくは０であり、
ｇは、０〜２０、好ましくは０〜１０、特に好ましくは０〜５、極めて特に好ましくは０〜２、最も好ましくは０であり、
ｈは、０〜２０、好ましくは０〜１０、特に好ましくは０〜５、極めて特に好ましくは０〜２、最も好ましくは０である。）
のポリシロキサン、またはプロトン性反応物Ｈ＋Ａ−とのイオン付加物であることを特徴とする請求項１〜３のいずれか１項記載の濃縮物。
【請求項５】
Ｒ５が、式１ａ〜１ｊ：
【化１】
2020535256.tif 000019
（式中、Ｒ６は、水素、炭化水素ラジカル、アシルラジカル、カルボキシレートラジカル、またはカルバメートもしくはカーボネートラジカル、特に水素およびＣＨ３−Ｃ（Ｏ）であり、
ｘは、１〜２０、好ましくは１〜１０、特に好ましくは１〜５、特に１〜２である。）
の置換基の群から選択されることを特徴とする請求項４記載の濃縮物。
【請求項６】
成分Ａ）が、式２：
ＭｉＭ１ｊＤｋＤ１ｌＤ２ｍＴｎＱｏ    （式２）
（式中、
Ｍ＝［Ｒ２Ｒ１２ＳｉＯ１／２］
Ｍ１＝［Ｒ１Ｒ１０２ＳｉＯ１／２］
Ｄ＝［Ｒ１２ＳｉＯ２／２］
Ｄ１＝［Ｒ１Ｒ１０ＳｉＯ２／２］
Ｄ２＝［Ｒ１Ｒ１３ＳｉＯ２／２］
Ｔ＝［Ｒ１ＳｉＯ３／２］
Ｑ＝［ＳｉＯ４／２］であり、
ｉは、０〜２０、好ましくは１〜１０、特に好ましくは２〜５、極めて特に好ましくは２〜３、最も好ましくは２であり、
ｊは、０〜２０、好ましくは０〜１０、特に好ましくは０〜５、極めて特に好ましくは０〜２、最も好ましくは０であり、
ｋは、３〜４５０、好ましくは５〜３５０、特に好ましくは１０〜２５０であり、
ｌは、０〜６０、好ましくは０〜５０、特に好ましくは０〜４０、極めて特に好ましくは０〜３５、最も好ましくは０〜３０であり、
ｍは、０〜６０、好ましくは０〜５０、特に好ましくは０〜４０、極めて特に好ましくは０〜３５、最も好ましくは０〜３０であり、
ｎは、０〜２０、好ましくは０〜１０、特に好ましくは０〜５、極めて特に好ましくは０〜２、最も好ましくは０であり、
ｏは、０〜２０、好ましくは０〜１０、特に好ましくは０〜５、極めて特に好ましくは０〜２、最も好ましくは０であり、
ｉ＋ｊ≧２、かつＮ＝ｉ＋ｊ＋ｋ＋ｌ＋ｍ＋ｎ≦５００、ｊ＋ｌ＋ｍ≧１であり、
Ｒ１は、互いに独立して、１〜３０個の炭素原子を有する、同一のまたは異なる、直鎖または分岐鎖の飽和または不飽和炭化水素ラジカルであるか、あるいは６〜３０個の炭素原子を有する芳香族炭化水素ラジカルであり、好ましくはメチルまたはフェニル、特に好ましくはメチルであり、
Ｒ２は、互いに独立して、Ｒ１と同一であるか、アルコキシラジカルであるか、あるいはヒドロキシル基であり、好ましくはＲ１、特に好ましくはメチルであり、
Ｒ１０は、互いに独立して、同一のまたは異なるポリエーテルラジカルであり、好ましくは一般式３：
【化２】
2020535256.tif 000020
（式中、
Ｒ１１は、任意にエーテル官能基を有する１〜１８個の炭素原子を有する同一のまたは異なるアルキルラジカルであるか、あるいは任意にエーテル官能基または水素を有する６〜１８個の炭素原子を有するアリールラジカルであり、好ましくは水素、エチル、およびベンジルであり、
Ｒ１２は、Ｒ１、水素、−Ｃ（Ｏ）Ｒ１の群からの同一のまたは異なるラジカルであり、好ましくはメチル、ブチル、水素、または−Ｃ（Ｏ）ＣＨ３であり、
Ｒ１３は、互いに独立して、８〜３０個の炭素原子を有する、同一のまたは異なる、直鎖または分岐鎖の飽和またはオレフィン性不飽和炭化水素ラジカルであり、例えば、デシル−、ドデシル−、テトラデシル−、ヘキサデシル−、オクタデシル−、特にヘキサデシル−およびオクタデシル−であり、
ｐは、２〜８、好ましくは２〜１０、特に好ましくは２〜５、極めて特に好ましくは３〜５、最も好ましくは３であり、
ｑは、０〜１００、好ましくは０〜８０、特に好ましくは０〜７０、極めて特に好ましくは０〜６０、最も好ましくは０〜５０であり、
ｒは、０〜１００、好ましくは０〜８０、特に好ましくは０〜７０、極めて特に好ましくは０〜６０、最も好ましくは０〜５０であり、
ｓは、０〜１００、好ましくは０〜８０、特に好ましくは０〜７０、極めて特に好ましくは０〜６０、最も好ましくは０〜５０であり、
ｔは、０〜８０、好ましくは０〜４０、特に好ましくは０〜２０、極めて特に好ましくは０〜１０、最も好ましくは０であり、
ただし、ｑ＋ｒ＋ｓ＋ｔ≧３である。）
の同一のまたは異なるポリエーテルラジカルである。）
のポリシロキサンであることを特徴とする請求項１〜３のいずれか１項記載の濃縮物。
【請求項７】
成分Ｂ）が、水と混和しないエステル油または鉱油であり、すなわち、前記油の水性混合物は、室温で、混合物全体に対し０．５〜９９．５体積％の油濃度で、人間の目に知覚できる混濁、または２つ以上の相をすでに有し、および／または
水に対する界面張力が５ｍＮ／ｍより大きいエステル油または鉱油であること
を特徴とする、請求項１〜６のいずれか１項記載の濃縮物。
【請求項８】
成分Ｂ）が、以下：
−直鎖および／または分岐鎖脂肪酸と、直鎖および／または分岐鎖の一価または多価アルコール、特に好ましくは脂肪アルコールと、のエステル、
−液体または固体形態のモノ−、ジ−またはトリグリセリド、
−カルボン酸、芳香族カルボン酸、またはジカルボン酸と、直鎖または分岐鎖脂肪族アルコール、非分岐鎖もしくは分岐鎖多価アルコール、または非分岐鎖もしくは分岐鎖アルコールと、のエステル、
−置換基を有するまたは有さない、二重結合を有するまたは有さない、直鎖、環状または分岐鎖の炭化水素、
−植物油、
−非分岐鎖または分岐鎖アルコールを有するカーボネート、
−前記エステル油および鉱油の混合物
からなる群から選択されることを特徴とする、請求項１〜７のいずれか１項記載の濃縮物。
【請求項９】
成分Ｃ）が、以下：
−直鎖脂肪アルコール、脂肪酸、脂肪酸アミド、脂肪アミン、およびアルキルフェノール、好ましくは脂肪アルコールエトキシレートへのエチレンオキシドおよび／またはプロピレンオキシドの付加生成物、
−飽和および不飽和脂肪酸のグリセロールモノ−、−ジ−および−トリエステル、およびソルビタンモノ−、−ジ−および−トリエステル、ならびにそれらのエチレンオキシド付加生成物、
−アルキルモノ−および−オリゴグリコシド、ならびにそのエチレンオキシド付加生成物、
−１０〜２４個、好ましくは１０〜１８個の炭素原子の平均鎖長を有する長鎖脂肪アルコール、
−直鎖、分岐鎖、不飽和または飽和脂肪酸、リシノール酸、１２−ヒドロキシステアリン酸、ポリグリセロール、ペンタエリスリトール、ジペンタエリスリトールおよび糖アルコール（例えば、ソルビトール）、ポリグルコシド（例えば、セルロース）、モノ−、ジ−およびトリアルキルリン酸、そしてモノ−、ジ−、および／またはトリ−ＰＥＧ−アルキルホスフェートをベースとする部分エステル、ならびにその塩、ステアリン酸グリセリルクエン酸塩、オレイン酸グリセリルクエン酸塩およびクエン酸ジラウリルなどのクエン酸エステル、
−さらなるアルコキシル化トリグリセリド、混合エーテル、および混合式、必要に応じて部分酸化されたアルキルオリゴグリコシドまたはアルケニルオリゴグリコシドまたはグルコン酸誘導体、脂肪酸Ｎ−アルキルグルカミド、
−ポリグリセロールエステル、
−前記非イオン性界面活性剤の混合物
からなる群から選択されることを特徴とする、請求項１〜８のいずれか１項記載の濃縮物。
【請求項１０】
成分Ｄ）が、ヒドロトロピー性の非水性溶媒またはヒドロトロピー性の非水性溶媒の混合物であることを特徴とする、請求項１〜９のいずれか１項記載の濃縮物。
【請求項１１】
成分Ｄ）が、以下：
−一価および二価脂肪族アルコール、好ましくは１〜６個の炭素原子を有する、脂肪族の直鎖または分岐鎖の一価または二価アルコール、特に好ましくはエタノール、プロパノール、またはイソプロピルアルコール、
−グリコールエーテル、好ましくはプロピレングリコールｎ−ブチルエーテル、ジプロピレングリコールｎ−ブチルエーテル、ジプロピレングリコールモノメチルエーテル、ジプロピレングリコールｎ−プロピルエーテル、およびジエチレングリコールモノブチルエーテル、
−ポリオール、好ましくは２〜１５個の炭素原子と少なくとも２つのヒドロキシル基を有するもの、特に好ましくはアルキレングリコール、極めて特に好ましくはエチレングリコール、ジエチレングリコール、プロピレングリコール、イソプロピレングリコール、ブチレングリコール、ペンチレングリコール、ヘキシレングリコール、１，２−プロパンジオール、１，２−ブタンジオール、１，２−ペンタンジオール、１，２−ヘキサンジオール、およびポリエチレングリコールまたはポリプロピレングリコール、ブチルジグリコール
からなる群から選択される非水性溶媒または非水性溶媒の混合物であることを特徴とする、請求項１〜１０のいずれか１項記載の濃縮物。
【請求項１２】
以下の工程：
１）本発明による濃縮物を準備する工程、
２）分子内に１つまたは複数の長鎖アルキル基を含む少なくとも１つのカチオン性布地柔軟化化合物、好ましくは第四級アンモニウム塩および／または防腐剤および／または少なくとも１つの香料を含む水含有相と混合する工程
を有する洗濯または洗浄配合物、特に布地柔軟化配合物の製造プロセス。
【請求項１３】
洗濯および洗浄配合物、好ましくは布地柔軟化配合物を製造するための、または洗濯および洗浄配合物、好ましくは布地柔軟化配合物としての請求項１〜１１のいずれか１項記載の濃縮物の使用。
【発明の詳細な説明】
【技術分野】
【０００１】
本発明は、改善された安定性および改善された性能特性を有するポリシロキサンを含有する新規な濃縮物、ならびに洗濯および洗浄配合物、好ましくは布地ケア組成物におけるその使用に関する。
【背景技術】
【０００２】
ポリシロキサンは、布地ケア組成物の添加剤として標準的に使用されており、有利な効果（例えば、より良い手触り、しわ耐性など）を奏する。ポリシロキサンの欠点は、疎水性が非常に高いために配合性が悪いことである。さらに、それから生成される布地柔軟化配合物は、十分に長い間安定ではない。例えば、相分離が生じる。このようなポリシロキサンの例は、特許文献１に見られる。
【０００３】
特許文献１のアミノ官能性ポリシロキサン、およびその配合物は、貯蔵条件に従って黄変の増加を示す。さらに、当該ポリシロキサンの粘度は、貯蔵時に、ゲル化する点まで増加し得る。
【０００４】
これまで、マクロ−またはマイクロエマルジョンとしてポリシロキサンを予備配合することにより、ポリシロキサンを使用する際に生じる問題を少なくとも部分的に解決する試みがなされてきた。マクロエマルジョンまたはマイクロエマルジョンとしてのポリシロキサンの予備配合は、配合性を改善し、これにより布地柔軟剤の貯蔵安定性が改善された。
しかし、粘度の問題は、マクロ−またはマイクロエマルジョンとしての予備配合によりむしろ悪化した。そのような予備配合物、およびそれに含まれるＮ含有ポリシロキサンの貯蔵寿命は短すぎて、特に高温で、問題なく実用的に適用することができない。
【先行技術文献】
【特許文献】
【０００５】
【特許文献１】ＥＰ  ２  ５５７  １０７  Ａ１
【発明の概要】
【発明が解決しようとする課題】
【０００６】
本発明によって解決される課題は、先行技術の欠点の少なくとも１つを克服することである。本発明によって解決され、かつ明示的に言及されていないさらなる課題は、以下の説明、実施例、および特許請求の範囲の全体的な文脈から明らかになる。
【０００７】
驚くべきことだが、
以下の成分：
Ａ）１つまたは複数のポリシロキサン、
Ｂ）１つまたは複数のエステル油または鉱油、
Ｃ）１つまたは複数の非イオン性界面活性剤、
Ｄ）１つまたは複数の非水性溶媒、
Ｅ）必要に応じて水、
Ｆ）必要に応じて１つまたは複数の酸
を含み、
成分Ｅ）およびＦ）の含有量が、総重量に対し０〜５重量％であることを特徴とする濃縮物は、非常に貯蔵安定性があり、好ましくは透明であり、したがって、対処されるべき問題を解決することが見出された。
【０００８】
特定の理論に拘束されることを望まないが、発明者らは、本発明による濃縮物に水が存在しないか、あるいはほとんど存在しないこと、および１つまたは複数のエステルおよび／または鉱油の添加により、ポリシロキサンの加水分解が遅延され、あるいは防止さえされ、したがって、粘度と黄変の課題が解決されたと考えている。さらに、本発明による濃縮物は、自己乳化性であり、布地柔軟化配合物に非常に容易に分散／配合できることが見出された。むしろ親水性の界面活性剤は、通常、疎水性の高いポリシロキサンと混和性がなく、安定した透明濃縮物を形成しないので、これは驚くべきことである。
【０００９】
したがって、本発明の利点の１つは、比較的長期間の貯蔵の後であっても、濃縮物を布地柔軟化配合物に加工できることである。従来技術の布地柔軟化配合物と比較して、本発明による濃縮物を含有する布地柔軟化配合物は、さらに、
−布地、特に綿素材からなる布地の改善された柔らかな手触り、および
−より長い香りの持続
を示した。
【００１０】
本発明のさらなる利点は、自由に選択可能な疎水性の高い油（植物油など）を特定割合で組み込み、透明な配合物を得ることができ、したがって、同様に容易に製剤化できることである。
【００１１】
本発明の別の利点は、本発明による濃縮物、および洗濯／洗浄配合物が防腐剤なしでできることであるが、それらの添加は排除されない。
【００１２】
本発明の文脈において、用語「脂肪酸」は、特に、ギ酸、酢酸、プロピオン酸、酪酸、吉草酸、カプロン酸、エナント酸、カプリル酸、ペラルゴン酸、カプリン酸、ラウリン酸、ミリスチン酸、ペンタデカン酸、パルミチン酸、マルガリン酸、ステアリン酸、ノナデカン酸、アラキン酸、ベヘン酸、リグノセリン酸、セロチン酸、モンタン酸、メリス酸、ウンデシレン酸、ミリストレイン酸、パルミトレイン酸、ペトロセリン酸、オレイン酸、エライジン酸、バクセン酸、ガドレイン酸、エイコセン酸、セトリン酸、エルカ酸、ネルボン酸、リノール酸、α−リノレン酸、γ−リノレン酸、カレンデュリン酸、プニカ酸、α−エレオステアリン酸、β−エレオステアリン酸、アラキドン酸、チムノドン酸、クルパノドン酸、セルボン酸、ベルノリン酸、リシノール酸を意味すると理解されるべきであり、特に好ましいのは、６〜２４個、好ましくは６〜２２個、特に８〜１８個の炭素原子の鎖長を有するものである。同じことが、本発明に関連して使用される用語「脂肪アルコール」の炭素ベース骨格にも当てはまる。
【００１３】
特に明記しない限り、示されているパーセンテージ（％）はすべて、質量％である。
【００１４】
すべての条件（圧力や温度など）は、特に明記しない限り、標準条件（２０℃、１バール）である。
【００１５】
本発明の文脈において、用語「濃縮物」は、含水量の非常に低い布地ケア活性成分（活性物質）を含む配合物を意味すると理解されるべきである。用語「濃縮物」および「活性成分組成」は、同義語として使用される。濃縮物は、洗濯および洗浄配合物として、特に布地柔軟剤としてそれ自体で使用するか、あるいはその製造に使用することができる。濃縮物を、洗濯および洗浄配合物の製造に使用する場合、製造には、濃縮物の希釈およびさらなる添加物の一般的添加が含まれる。希釈は、水および／または有機溶媒で行うことが好ましい。
【００１６】
本発明は、請求項１記載の濃縮物、請求項１２記載の洗濯および洗浄配合物の製造プロセス、ならびに請求項１３記載の布地柔軟化配合物を製造するための本発明の濃縮物の使用を提供するものである。好ましい実施形態は、従属クレームに記載されている。
【００１７】
本発明は、特に、以下の成分：
Ａ）１つまたは複数のポリシロキサン、
Ｂ）１つまたは複数のエステル油または鉱油、
Ｃ）１つまたは複数の非イオン性界面活性剤、
Ｄ）１つまたは複数の非水性溶媒、
Ｅ）必要に応じて水、
Ｆ）必要に応じて１つまたは複数の酸
を含み、
成分Ｅ）およびＦ）の含有量が、総重量に対し０〜５重量％である、洗濯および洗浄配合物の製造に適した濃縮物、または洗濯および洗浄配合物として、好ましくは布地柔軟剤としての使用に適した濃縮物を提供する。
【００１８】
Ａ）〜Ｄ）およびＦ）の各成分は、純粋な物質の形態であるか、あるいは２つ以上の物質の混合物（例えば、成分Ａに係る２つ以上のポリシロキサンの混合物、または成分Ｂに係る２つ以上のエステルまたは鉱油の混合物）であってよい。好ましい濃縮物は、以下の成分：
Ａ）合計で、２０重量％〜８０重量％、好ましくは２５重量％〜８０重量％、特に好ましくは３０重量％〜８０重量％、極めて特に好ましくは４０重量％〜７５重量％、最も好ましくは４５重量％〜７５重量％である、存在するすべてのポリシロキサン、
Ｂ）合計で、５重量％〜５０重量％、好ましくは５重量％〜４５重量％、特に好ましくは５重量％〜４０重量％の量で重量、極めて特に好ましくは５重量％〜３５重量％、最も好ましくは１０重量％〜３５重量％である、存在するすべてのエステル油および鉱油、
Ｃ）合計で、１重量％〜２５重量％、好ましくは２重量％〜２０重量％、特に好ましくは２重量％〜１５重量％、極めて特に好ましくは５重量％〜１５重量％である、存在するすべての非イオン性界面活性剤、
Ｄ）合計で、０．１重量％〜５０重量％、好ましくは０．１重量％〜４０重量％、特に好ましくは０．１重量％〜３５重量％、極めて特に好ましくは０．１重量％〜３０重量％、特別に好ましくは０．１重量％〜２５重量％、極めて特別に好ましくは０．５重量％〜２０重量％、最も好ましくは１重量％〜１５重量％である、存在するすべての溶媒、
Ｅ）０重量％〜３重量％、好ましくは０重量％〜２重量％、特に好ましくは０重量％〜１重量％、極めて特に０重量％〜０．５重量％、最も好ましくは０重量％の量、および
Ｆ）合計で、０重量％〜３重量％、好ましくは０重量％〜２重量％、特に好ましくは０重量％〜１重量％、極めて特に好ましくは０重量％〜０．５重量％、最も好ましくは０重量％である、存在するすべての酸
を含み、
重量％値は、濃縮物の全体組成に対するものであり、
個々の成分Ａ）〜Ｆ）と任意の追加成分の量は、合計で１００重量％の濃縮物となるように選択されること
を特徴とする。
【００１９】
成分Ａ）として使用されるのは、シロキサン／ポリシロキサン、特にアミノ官能性ポリシロキサン、ポリエーテルシロキサン、長鎖アルキルラジカルを有するポリシロキサン、またはそれらの混合物、特に好ましくはアミノ官能性ポリシロキサンである。
【００２０】
ここでシロキサンを説明するために使用されるのは、文献（Ｗａｌｔｅｒ  Ｎｏｌｌ、Ｃｈｅｍｉｅ  ｕｎｄ  Ｔｅｃｈｎｏｌｏｇｉｅ  ｄｅｒ  Ｓｉｌｉｃｏｎｅ  ［シリコーンの化学と技術］、Ｖｅｒｌａｇ  Ｃｈｅｍｉｅ  ＧｍｂＨ社、第２版、１９６８年）に類似する表記法である。本発明のポリシロキサンは、分子内でさまざまな方法で互いに組み合わせることができる異なるシロキサン単位を有する。本発明の文脈において、用語「ポリシロキサン」および「シロキサン」は同義的に使用される。
【００２１】
シロキサン単位の組成は、各酸素原子が２つのケイ素原子間の橋渡し役として作用するため、半分のみが各ケイ素原子に割り当てられるという事実を考慮して得られる。種々のシロキサン単位は、２個の酸素半原子（−Ｏ１／２Ｏ１／２−）基を介して互いに結合しているため、酸素ブリッジ（−Ｏ−）を形成する。
【００２２】
本発明の第１の好ましい実施形態では、成分Ａ）は、式１：
ＭａＤｂＤＡｃＤＢｄＤＣｅＴｆＴＡｇＱｈ    （式１）
（式中、
Ｍ＝［Ｒ２Ｒ１２ＳｉＯ１／２］
Ｄ＝［Ｒ１２ＳｉＯ２／２］
ＤＡ＝［Ｒ１Ｓｉ（Ｒ７ＮＨＲ３）Ｏ２／２］
ＤＢ＝［Ｒ１ＳｉＲ４Ｏ２／２］
ＤＣ＝［Ｒ１ＳｉＲ５Ｏ２／２］
Ｔ＝［Ｒ１ＳｉＯ３／２］
ＴＡ＝［Ｓｉ（Ｒ７ＮＨＲ３）Ｏ３／２］
Ｑ＝［ＳｉＯ４／２］であり、
Ｒ１は、互いに独立して、１〜３０個、好ましくは１〜１８個、特に好ましくは１〜６個、極めて好ましくは１〜３個の炭素原子を有する、同一のまたは異なる、直鎖または分岐鎖の飽和または不飽和炭化水素ラジカルであるか、あるいは６〜３０個の炭素原子を有する芳香族炭化水素ラジカルであり、好ましくはメチルまたはフェニル、特に好ましくはメチルであり、
Ｒ２は、互いに独立して、Ｒ１と同一であるか、１〜３０個、好ましくは１〜１８個、特に好ましくは１〜６個、極めて好ましくは１〜３個の炭素原子を有する直鎖または分岐鎖の飽和または不飽和アルコキシラジカルであるか、あるいはヒドロキシル基であり、好ましくはＲ１、特に好ましくはメチルであり、
Ｒ３は、互いに独立して、水素であるか、あるいは１〜３０個、好ましくは１〜１８個、特に好ましくは１〜６個、極めて好ましくは１〜３個の炭素原子を有する窒素置換炭化水素ラジカルであり、好ましくはアミノエチルラジカルまたは水素、特に好ましくは水素であり、
Ｒ４は、互いに独立して、８〜３０個の炭素原子を有する同一のまたは異なる、直鎖または分岐鎖の飽和またはオレフィン性不飽和炭化水素ラジカルであり、好ましくはデシル−、ドデシル−、テトラデシル−、ヘキサデシル−、オクタデシル−、特に好ましくはヘキサデシル−およびオクタデシル−であり、
Ｒ５は、互いに独立して、１〜３０個の炭素原子を有する、同一のまたは異なる、直鎖または分岐鎖の飽和または不飽和の極性ヒドロキシル置換アミドラジカル、および／または１〜３０個の炭素原子を有する直鎖または分岐鎖の飽和または不飽和の極性ヒドロキシル置換尿素誘導体、および／または１〜３０個の炭素原子を有するヒドロキシル置換カルバメートラジカル、および／または１〜８０個、好ましくは１〜４０個、特に好ましくは１〜３０個の炭素原子を有するエトキシル化アミンラジカル、および／または１〜３０個の炭素原子を有するグアニジンラジカルまたはアルキレニルグアニジンラジカルであり、
Ｒ７は、互いに独立して、１〜２０個の炭素原子、好ましくは１〜６個の炭素原子、特に好ましくは−Ｃ２Ｈ４−および−Ｃ３Ｈ６−、最も好ましくは−Ｃ３Ｈ６−を有する、同一のまたは異なる、直鎖または分岐鎖の飽和または不飽和二価炭化水素基であり、
ａは、２〜２０、好ましくは２〜１０、特に好ましくは２〜５、極めて特に好ましくは２〜３、最も好ましくは２であり、
ｂは、１０〜５，０００、好ましくは２０〜２，０００、特に好ましくは２０〜１，０００であり、
ｃは、１〜５００、好ましくは１〜２５０、特に好ましくは１〜１００、極めてに特に好ましくは１〜５０、最も好ましくは１〜３０であり、
ｄは、０〜５００、好ましくは０〜２５０、特に好ましくは０〜１００、極めて特に好ましくは０〜５０、最も好ましくは０〜３０であり、
ｅは、０〜５００、好ましくは０〜２５０、特に好ましくは１〜１００、極めて特に好ましくは１〜５０、最も好ましくは１〜３０であり、
ｆは、０〜２０、好ましくは０〜１０、特に好ましくは０〜５、極めて特に好ましくは０〜２、最も好ましくは０であり、
ｇは、０〜２０、好ましくは０〜１０、特に好ましくは０〜５、極めて特に好ましくは０〜２、最も好ましくは０であり、
ｈは、０〜２０、好ましくは０〜１０、特に好ましくは０〜５、極めて特に好ましくは０〜２、最も好ましくは０である。）
のアミノ官能性ポリシロキサン、またはプロトン性反応物Ｈ＋Ａ−とのイオン付加物である。
【００２３】
Ｒ５が式１ａ〜１ｊ：
【００２４】
【化１】
2020535256.tif 000002
【００２５】
（式中、Ｒ６は、水素、炭化水素ラジカル、アシルラジカル、カルボキシレートラジカル、またはカルバメートもしくはカーボネートラジカル、特に好ましくは水素およびＣＨ３−Ｃ（Ｏ）であり、
ｘは、１〜２０、好ましくは１〜１０、特に好ましくは１〜５、特に１〜２である。）
の置換基の群から選択される置換基であることが特に好ましい。
【００２６】
また、本発明は、本発明に従って使用される式（１）のポリシロキサンと、一般式Ｈ＋Ａ−の酸との上記のイオン付加物を提供する。アニオンＡ−は、酸Ｈ＋Ａ−の無機または有機アニオンから選択される、正電荷に対する同一のまたは異なる対イオン、およびその誘導体である。好ましいアニオンは、例えば、塩化物、硫酸塩または硫酸水素塩、炭酸塩または炭酸水素塩、リン酸塩またはリン酸水素塩、直鎖または分岐鎖の飽和またはオレフィン性不飽和アルキル鎖を有する酢酸塩または同種のカルボン酸塩、芳香族カルボン酸塩、アミノ酸から形成されるカルボン酸塩、クエン酸塩、マロン酸塩、フマレート、マレエート、置換および非置換コハク酸塩、およびＬ−ヒドロキシカルボン酸から生成されるカルボン酸塩、例えば乳酸塩である。本発明のシロキサンおよびそのイオン性付加物は、形成される付加物の安定性に応じて解離平衡状態で存在してよい。
【００２７】
本発明の第２の好ましい実施形態では、成分Ａ）は、式２：
ＭｉＭ１ｊＤｋＤ１ｌＤ２ｍＴｎＱｏ    （式２）
（式中、
Ｍ＝［Ｒ２Ｒ１２ＳｉＯ１／２］
Ｍ１＝［Ｒ１Ｒ１０２ＳｉＯ１／２］
Ｄ＝［Ｒ１２ＳｉＯ２／２］
Ｄ１＝［Ｒ１Ｒ１０ＳｉＯ２／２］
Ｄ２＝［Ｒ１Ｒ１３ＳｉＯ２／２］
Ｔ＝［Ｒ１ＳｉＯ３／２］
Ｑ＝［ＳｉＯ４／２］であり、
ｉは、０〜２０、好ましくは１〜１０、特に好ましくは２〜５、極めて特に好ましくは２〜３、最も好ましくは２であり、
ｊは、０〜２０、好ましくは０〜１０、特に好ましくは０〜５、極めて特に好ましくは０〜２、最も好ましくは０であり、
ｋは、３〜４５０、好ましくは５〜３５０、特に好ましくは１０〜２５０であり、
ｌは、０〜６０、好ましくは０〜５０、特に好ましくは０〜４０、極めて特に好ましくは０〜３５、最も好ましくは０〜３０であり、
ｍは、０〜６０、好ましくは１〜５０、特に好ましくは０〜４０、極めて特に好ましくは０〜３５、最も好ましくは０〜３０であり、
ｎは、０〜２０、好ましくは０〜１０、特に好ましくは０〜５、極めて特に好ましくは０〜２、最も好ましくは０であり、
ｏは、０〜２０、好ましくは０〜１０、特に好ましくは０〜５、極めて特に好ましくは０〜２、最も好ましくは０であり、
ｉ＋ｊ≧２、かつＮ＝ｉ＋ｊ＋ｋ＋ｌ＋ｍ＋ｎ≦５００、ｊ＋ｌ＋ｍ≧１であり、
Ｒ１およびＲ２は、式１に規定の通りであり、
Ｒ１０は、互いに独立して、同一のまたは異なるポリエーテルラジカルであり、好ましくは一般式ＩＩＩ：
【００２８】
【化２】
2020535256.tif 000003
【００２９】
（式中、
Ｒ１１は、互いに独立して、任意にエーテル官能基を有する１〜１８個の炭素原子を有する同一のまたは異なるアルキルラジカルであるか、あるいは任意にエーテル官能基または水素を有する６〜１８個の炭素原子を有するアリールラジカルであり、好ましくは水素、エチル、およびベンジルであり、
Ｒ１２は、Ｒ１、水素、−Ｃ（Ｏ）Ｒ１の群からの同のまたは異なるラジカルであり、好ましくはメチル、ブチル、水素、または−Ｃ（Ｏ）ＣＨ３であり、
Ｒ１３は、互いに独立して、８〜３０個の炭素原子を有する、同一のまたは異なる、直鎖または分岐鎖の飽和またはオレフィン性不飽和炭化水素ラジカルであり、例えば、デシル−、ドデシル−、テトラデシル−、ヘキサデシル−、オクタデシル−、特にヘキサデシル−およびオクタデシル−であり、
ｐは、２〜８、好ましくは２〜１０、特に好ましくは２〜５、特に２〜３、最も好ましくは３であり、
ｑは、０〜１００、好ましくは０〜８０、特に好ましくは０〜７０、極めて特に好ましくは０〜６０、最も好ましくは０〜５０であり、
ｒは、０〜１００、好ましくは０〜８０、特に好ましくは０〜７０、極めて特に好ましくは０〜６０、最も好ましくは０〜５０であり、
ｓは、０〜１００、好ましくは０〜８０、特に好ましくは０〜７０、極めて特に好ましくは０〜６０、最も好ましくは０〜５０であり、
ｔは、０〜８０、好ましくは０〜４０、特に好ましくは０〜２０、極めて特に好ましくは０〜１０、最も好ましくは０であり、
ただし、ｑ＋ｒ＋ｓ＋ｔ≧３である。）
の同一のまたは異なるポリエーテルラジカルである。）
の長鎖アルキルラジカルを有するポリエーテルシロキサンまたはポリシロキサンである。
【００３０】
式１〜３に規定のシロキサン鎖中の種々のモノマー単位は、任意の順番で任意の数のブロックを有する交互ブロックの形をとるか、あるいはランダム分布であってよい。式で使用される指数は、統計的な平均とする。
【００３１】
本発明に従って使用されるシロキサン／ポリシロキサンは、例えば、異なる官能性シロキサンを、縮合プロセスにおいて、末端ヒドロキシル官能性ポリジメチルシロキサンと反応させて、多官能性ポリシロキサン、好ましくは末端キャップポリシロキサンを生成する場合に製造されてよい。
【００３２】
したがって、例えば、式１のポリシロキサンを生成するために、第１工程でアミノアルキルジアルコキシシランをアミノ基でさらに官能化し、第２工程で、互いに制御された比率で、トリメチルシリル基遊離試薬の存在下で、ヒドロキシル官能性ポリジメチルシロキサンと共縮合させてよい。
【００３３】
この方法は、以下に例示的に挙げた化合物の使用に基づくことが好ましい。
ａ）末端ヒドロキシル官能性の直鎖または分岐鎖ポリシロキサン、およびそれらとジメチルジアルコキシシランまたはメチルトリアルコキシシランまたはテトラエトキシシランとの混合物、好ましくは直鎖末端ジヒドロキシル官能性ポリシロキサン、
ｂ）ヘキサメチルジシラザンまたは異なる炭素ラジカルで置換されたジシラザン、例えばジビニルテトラメチルジシラザン、好ましくはヘキサメチルジシラザン、
ｃ）３−アミノプロピルメチルジアルコキシシラン、Ｎ−（２−アミノエチル）−３−アミノプロピルメチルジアルコキシシラン、またはヒドロキシル置換アミドおよび／または尿素誘導体および／またはヒドロキシル置換カルバメート構造および／またはエトキシル化アミンおよび／またはグアニジン−またはアルキレニルグアニジン構造で置換された直鎖または分岐鎖の飽和または不飽和炭化水素ラジカルを含むさらなる官能性ジアルコキシシラン、あるいは式２ａ〜ｋの物質群から選択されるもの。
【００３４】
【化３】
2020535256.tif 000004
【００３５】
（式中、
Ｒ１、Ｒ４、Ｒ６およびＲ７は、式１において上記で定義した通りであり、
Ｒ８＝Ｒ６であり、好ましくは水素原子、メチルまたはカルボキシル基、好ましくはＨまたはアセチルであり、
Ｒ９は、アルキルまたはアシルラジカル、特にメチル、エチルまたはアセチルであり、
ｙ＝ｘであり、互いに反応する。）
シランは、モノマーとして有利に使用される。後続の用途にとって有利である場合は、ジヒドロキシ官能性ポリシロキサンの添加によりポリマー構築が開始される前に、加水分解酸性条件下でシランを予備縮合し、オリゴマーを得てもよい。
【００３６】
化学量論量に対してわずかに過剰量で使用されるシラザンを用いることが好ましい。使用されるジアルコキシシランは、従来技術で知られている合成方法を使用して生成される。したがって、アミノ官能性シランのグアニジン化は、好ましくは、ＪＰ２００２−１６７４３７に記載されている、アミノシロキサンのグアニジン化と同様にして行われる。アミノ官能性シロキサンとグリセリンカーボネートまたはグルコノラクトンとの反応は、好ましくは、ＥＰ１９７２３３０Ａ１およびＪ．  Ｐｈｙｓ．  Ｃｈｅｍ．  Ｂ  ２０１０，  第１１４巻，  ６８７２〜６８７７頁に従って行われる。
【００３７】
好ましくは、加水分解および縮合反応の触媒として、カルボン酸（例えば、酢酸、プロピオン酸、イソノナン酸、またはオレイン酸など）が使用される。加水分解を促進するために、少量の水を加えて反応を行ってもよい。多くの場合、未乾燥状態で使用される試薬には、十分な水分が存在している。反応は、溶媒なしで、または溶媒（例えば、脂肪族および芳香族のプロトン性および非プロトン性溶媒、グリコール、エーテル、脂肪アルコールアルコキシレート、モノ−、ジ−およびトリグリセリド、または合成もしくは天然起源の油）の存在下で行われてよい。溶媒の使用は、例えば、所望の構造を有する鎖長が高粘度を有する場合に有利である。溶媒は、反応前、反応中、または反応後に添加してもよい。反応は、室温〜１５０℃の範囲の温度で、好ましくは５０〜１００℃で実施されてよい。加水分解で遊離したアルコールは、反応中または反応後に真空下で留去される。中和工程およびろ過工程は、必要に応じて実施されてよい。式１によるポリシロキサンの製造に関するさらなる詳細および実施例は、ＥＰ２５５７１０７Ａ１に見出すことができ、これは、本発明の明細書の主題を構成するものとして援用される。
【００３８】
式２のポリシロキサンは、例えば、ＥＰ０５９６３０４、ＥＰ０５５９０１３、ＥＰ２３０１９８７、または「Ｓｉｌｉｃｏｎｅｓ  -  ａｎ  Ｉｎｔｒｏｄｕｃｔｉｏｎ  ｔｏ  ｔｈｅｉｒ  ｃｈｅｍｉｓｔｒｙ  ａｎｄ  ａｐｐｌｉｃａｔｉｏｎｓ」−Ｇ．Ｇ．  Ｆｒｅｅｍａｎに記載されているようにして生成されてよい。
【００３９】
成分Ｂ）は、エステルまたは鉱油である。
【００４０】
本発明の文脈において、用語「エステルまたは鉱油」は、布地柔軟化配合物の生成に適した水不混和性液体を意味すると理解されるべきである。
本発明の文脈において、「水不混和性」は、混合物全体に対し０．５体積％〜９９．５体積％の油濃度である油の水性混合物が、室温で、人間の目で知覚可能な濁り、または２つ以上の相の形成をもたらすことを意味すると理解されるべきである。加えて、本発明の文脈において、エステル油または鉱油は、好ましくは、それらが水に対して５ｍＮ／ｍより大きい界面張力を有することを特徴とする。エステルまたは鉱油は、例えば油脂化学またはシリコーン化学に基づいていてもよい。
【００４１】
好ましくは、本発明による濃縮物は、以下：
−脂肪酸エステル、好ましくは、直鎖脂肪酸と直鎖または分岐鎖脂肪アルコールとのエステル、分岐鎖脂肪酸と直鎖または分岐鎖脂肪アルコールとのエステル、直鎖脂肪酸と非分岐鎖または分岐鎖多価アルコールとのエステル、分岐鎖脂肪酸と非分岐鎖または分岐鎖多価アルコールとのエステル、直鎖脂肪酸と非分岐鎖または分岐鎖アルコールとのエステル、分岐鎖脂肪酸と非分岐鎖または分岐鎖アルコールとのエステル、アルキルヒドロキシカルボン酸と直鎖または分岐鎖脂肪アルコールとのエステル、
−液体または固体のモノ−、ジ−またはトリグリセリド、
−脂肪アルコールエステル、好ましくはカルボン酸、芳香族カルボン酸またはジカルボン酸と、直鎖または分岐鎖脂肪アルコール、非分岐鎖または分岐鎖多価アルコールまたは非分岐鎖または分岐鎖アルコールとのエステル、
−置換基を有するまたは有さない、二重結合を有するまたは有さない、直鎖、環状または分岐鎖炭化水素、
−植物油、
−非分岐鎖または分岐鎖アルコールを有するカーボネート、
−アルコキシ基を有するまたは有さないエーテル、
−ポリジメチルシロキサン、
−上記の油を任意の比率で混合した混合物
からなる群から選択されるエステルまたは鉱油を含む。
【００４２】
以下：
−直鎖および／または分岐鎖脂肪酸と、直鎖および／または分岐鎖の一価または多価アルコール（特に好ましくは、脂肪アルコール）とのエステル、
−液体または固体のモノ−、ジ−またはトリグリセリド、
−カルボン酸、芳香族カルボン酸またはジカルボン酸と、直鎖または分岐鎖脂肪アルコール、非分岐鎖または分岐鎖多価アルコールまたは非分岐鎖または分岐鎖アルコールと、のエステル、
−置換基を有するまたは有さない、二重結合を有するまたは有さない、直鎖、環状または分岐鎖炭化水素、
−植物油、非分岐鎖または分岐鎖アルコールを有するカーボネート、
が存在する場合が特に好ましい。
【００４３】
以下：
−植物油、非分岐鎖または分岐鎖アルコールを有するカーボネート、
−置換基を有するまたは有さない、二重結合を有するまたは有さない、直鎖、環状または分岐鎖炭化水素、
−直鎖および／または分岐鎖脂肪酸と、直鎖および／または分岐鎖の一価または多価アルコールと、のエステル
が存在する場合が極めて特に好ましい。
【００４４】
同様に特に好ましいのは、ＥＰ２０００１２３Ａ１の油相で使用されるエステルおよび鉱油である。ＥＰ２０００１２３Ａ１の内容は、本発明の明細書を構成するものとして援用される。
【００４５】
本発明によれば、成分Ｃ）は、少なくとも１つの非イオン性界面活性剤である。
【００４６】
好ましい非イオン性界面活性剤は、以下：
−直鎖脂肪アルコール、脂肪酸、脂肪酸アミド、脂肪アミンおよびアルキルフェノール、好ましくは脂肪アルコールエトキシレートへのエチレンオキシドおよび／またはプロピレンオキシドの付加生成物、
−飽和および不飽和脂肪酸のグリセロールモノ−、ジ−およびトリエステルおよびソルビタンモノ−、ジ−およびトリエステル、ならびにそれらのエチレンオキシド付加生成物、
−アルキルモノ−およびオリゴグリコシドおよびそのエチレンオキシド付加生成物、
−１０〜２４個、好ましくは１０〜１８個の炭素原子の平均鎖長を有する長鎖脂肪アルコール、
−直鎖、分岐鎖、不飽和および／または飽和脂肪酸、リシノール酸、１２−ヒドロキシステアリン酸、ポリグリセロール、ペンタエリスリトール、ジペンタエリスリトールおよび糖アルコール（ソルビトールなど）、ポリグルコシド（セルロースなど）、モノ−、ジ−およびトリアルキルリン酸、さらにモノ−、ジ−、および／またはトリ−ＰＥＧ−アルキルリン酸およびそれらの塩、クエン酸エステル（クエン酸ステアリン酸グリセリル、オレイン酸クエン酸グリセリル、およびクエン酸ジラウリルなど）、
−さらにアルコキシル化されたトリグリセリド、混合エーテル、および混合ホルマール、必要に応じて部分酸化されたアルキルオリゴグリコシドまたはアルケニルオリゴグリコシドまたはグルクロン酸誘導体、脂肪酸Ｎ−アルキルグルカミド、および
これらの界面活性剤の混合物
からなる群、好ましくはのみからなる群から選択される。
【００４７】
同様に、成分Ｃ）として好ましい非イオン性界面活性剤は、ポリグリセロールエステルである。本発明の文脈において、用語「ポリグリセロールエステル」は、部分的なポリグリセロールエステル、したがって、すべてのヒドロキシル基がエステル化されているわけではない化合物を含む。
【００４８】
好ましくは、本発明によれば、成分Ｃ）のポリグリセロールエステルは、一般式Ｖ：
【００４９】
【化４】
2020535256.tif 000005
【００５０】
（式中、ｎは、２〜１６、好ましくは３〜１４、特に好ましくは４〜１１であり、
Ｒ１３、Ｒ１４、Ｒ１５は、独立して同一であるかまたは異なり、Ｈ、および４〜３６個の炭素原子を有し、かつ任意に少なくとも１つのヒドロキシル基を含む、飽和または不飽和の直鎖または分岐鎖アシル基、特に天然脂肪酸のアシルラジカルから選択される。）
のものから選択される。
【００５１】
一般式４のポリグリセロールエステルは、１分子当たり少なくとも１つのアシルラジカルを含む。
【００５２】
Ｒ１３は、好ましくはＨであり、Ｒ１４およびＲ１５ラジカルは、好ましくはＨまたは天然脂肪酸のアシルラジカルである。また、Ｒ１４およびＲ１５は、そのようなアシル基の混合物、特に技術的混合物（ココナッツ脂肪酸カットなど）を表してもよい。
【００５３】
Ｒ１４およびＲ１５に関し、ポリグリセロールエステル中のすべてのＲ１４およびＲ１５ラジカルに対し、少なくとも５０ｍｏｌ％、好ましくは少なくとも７５ｍｏｌ％のアシルラジカルＲ１５が、カプリロイル、カプロイルおよびラウロイルラジカルから選択されることが特に好ましい。
【００５４】
当業者であれば、一般式４に存在するポリグリセロール基本骨格が、そのポリマー性のために、異なる化合物のランダム混合物であることを知っている。ポリグリセロールは、グリセロールモノマーの２つの一次位置の間、１つの一次位置および１つの二次位置の間、または２つの二次位置の間にエーテル結合を有していてもよい。このため、ポリグリセロール基本骨格は、通常、線状に結合したグリセロール単位のみで構成されているわけではなく、分岐や環を含む場合もある。詳細については、例えば、“Ｏｒｉｇｉｎａｌ  ｓｙｎｔｈｅｓｉｓ  ｏｆ  ｌｉｎｅａｒ，  ｂｒａｎｃｈｅｄ  ａｎｄ  ｃｙｃｌｉｃ  ｏｌｉｇｏｇｌｙｃｅｒｏｌ  ｓｔａｎｄａｒｄｓ”，  Ｃａｓｓｅｌ  ｅｔ  ａｌ．，  Ｊ．  Ｏｒｇ．  Ｃｈｅｍ．，  ２００１年，  ８７５〜８９６頁を参照。この種の構造は、この点が簡略化された一般式４に記載されている。
【００５５】
重合度ｎは、本発明のエステルの合成に使用されるポリグリセロールのヒドロキシル価により測定できる。平均重合度ｎは、以下の式により親ポリグリセロールのヒドロキシル価と関連している。
【００５６】
【化５】
2020535256.tif 000006
【００５７】
（式中、Ｍは、モル質量、ＯＨＮは、遊離ポリグリセロールのヒドロキシル価である。）
【００５８】
代替的に、完全なエステル加水分解後に得られるポリグリセロールのヒドロキシル価を測定することにより、重合度ｎを算出することもできる。
ヒドロキシル価を測定する適切な方法は、特に、ＤＧＦ  Ｃ−Ｖ  １７  ａ（５３）、Ｐｈ．Ｅｕｒ．２．５．３方法Ａ、およびＤＩＮ  ５３２４０に従う方法である。
【００５９】
特に好ましい非イオン性界面活性剤は、直鎖脂肪アルコール、脂肪酸、脂肪酸アミド、脂肪アミン、およびアルキルフェノールへのエチレンオキシドおよび／またはプロピレンオキシドの付加生成物である。
【００６０】
本発明による濃縮物は、成分Ｄ）として、ヒドロトロープ（例えば、一価および二価脂肪族アルコール、好ましくは、１〜６個の炭素原子を有する、脂肪族の直鎖または分岐鎖の一価または二価アルコール（例えば、エタノール、プロパノール、イソプロピルアルコール、グリコールエーテル（例えば、Ｄｏｗ  Ｃｈｅｍｉｃａｌｓ社製ＤＯＷＡＮＯＬ（登録商標）の名前で入手可能）（プロピレングリコールｎ−ブチルエーテル、ジプロピレングリコールｎ−ブチルエーテル、ジエチレングリコールモノブチルエーテル、およびポリオールなど）））からなる、特に好ましくはのみからなる群から好ましくは選択される非水性溶媒を含む。本願明細書中で企図されたポリオールは、２〜１５個の炭素原子と、少なくとも２つのヒドロキシルと、を有してもよい。典型的な例は、例えば、アルキレングリコール、エチレングリコール、ジエチレングリコール、プロピレングリコール、ジプロピレングリコール、ブチレングリコール、ペンチレングリコール、ヘキシレングリコール、１，２−プロパンジオール、１，３−プロパンジオール、１，２−ブタンジオール、１，２−ペンタンジオール、１，２−ヘキサンジオール、さらにポリエチレングリコールまたはポリプロピレングリコール、ブチルジグリコール、およびこれらの溶媒の混合物である。
【００６１】
特に好ましくは、非水性溶媒Ｄ）は、イソプロパノール、グリコール、１，２−プロピレングリコール、１，３−プロピレングリコール、ブチレングリコール、ヘキシレングリコール、イソプロピレングリコール、プロピレングリコールｎ−ブチルエーテル、ジプロピレングリコールｎ−ブチルエーテル、ジプロピレングリコールモノメチルエーテル、ジプロピレングリコールｎ−プロピルエーテル、およびジエチレングリコールモノブチルエーテルのみからなる群から選択される。
【００６２】
成分Ｆ）として、本発明による濃縮物は、ｐＨを調整するために鉱酸または有機酸を含んでもよい。ただし、濃縮物ができるだけ少ない水と酸を含む場合が特に好ましく、水および／または酸を全く含まない場合が最も好ましい。
【００６３】
本発明による濃縮物は、洗濯洗剤または洗浄剤組成物の生成、またはそれら自体として、特に、布地柔軟化配合物としてまたは当該配合物中で、有利に使用可能である。洗濯洗剤または洗浄剤組成物への組み込みは、消費者に、布地コンディショニング洗濯洗剤または洗浄剤組成物（「２ｉｎ１」洗濯洗剤または洗浄剤組成物）を提供する。その結果、２つの製品（洗濯洗剤または洗浄剤組成物、および柔軟剤）を投入する必要がなくなり、また、別個のすすぎサイクルも必要なくなる。
【００６４】
本発明による洗濯洗剤または洗浄剤組成物、特に布帛柔軟化配合物は、家庭、産業および制度的部門に適している。
【００６５】
本発明による濃縮物の添加は、例えば、処理および／または洗浄された物の柔らかな手触りおよび香料の放出を向上する。この文脈において、洗浄される物品は、好ましくは布または繊維、特に布または繊維のもの、特に織布、洗濯物（特に身体の近くに着用される洗濯物（「下着」））、クッションまたはカーペットの表面である。
【００６６】
本発明による使用は、例えば、洗濯洗剤または洗浄組成物、特に布地柔軟化配合物を製造するための本発明による方法の形態で行われてよく、以下の工程により特徴づけられる。
１）本発明による濃縮物を提供する工程、
２）分子内に１つまたは複数の長鎖アルキル基を有する少なくとも１つのカチオン性布地柔軟化化合物、好ましくは第４級アンモニウム塩および／または防腐剤および／または少なくとも１つの香料を好ましくは含む水含有相と混合する工程。
【００６７】
したがって、本発明は、布地コンディショニング組成物および布地ケア組成物、特に家庭用および産業用布地柔軟化組成物（布地柔軟剤）における本発明による濃縮物の使用も提供する。
【００６８】
本発明による少なくとも１つの濃縮物を含む、本発明の好ましい洗濯洗剤または洗浄組成物、特に布地柔軟化配合物は、洗濯洗剤、洗濯ケア製品、消毒洗濯洗剤、強力洗濯洗剤、軽質洗濯洗剤、ウール洗濯洗剤、織物柔軟剤、および含浸剤であり、特に洗濯洗剤、洗濯ケア製品、強力洗濯洗剤、軽質洗濯洗剤、ウール洗濯洗剤、織物柔軟剤、含浸剤、特に織物柔軟剤が好ましい。
【００６９】
本発明の洗濯洗剤または洗浄組成物、特に布地柔軟化配合物は、好ましくは本発明による濃縮物を、０．１重量％〜５重量％、好ましくは０．１重量％〜２．５重量％の量で含む。％重量値は、配合物全体に対するものである。１００重量％までの残りの部分は、好ましくは水および／または少なくとも１つの添加剤および／または助剤からなる。
【００７０】
商業的に入手可能な布地柔軟剤は、分子中に１つまたは複数の長鎖アルキル基を含む１つまたは複数のカチオン性布地柔軟化化合物を主な活性成分として含む水性製剤である。広く使用されているカチオン性布地柔軟化化合物には、例えば、メチル−Ｎ−（２−ヒドロキシエチル）−Ｎ，Ｎ−ジ（獣脂アシルオキシエチル）アンモニウム化合物、またはＮ，Ｎ−ジメチル−Ｎ，Ｎ−ジ（獣脂アシルオキシエチル）アンモニウム化合物が含まれる。さらに適切なアンモニウム化合物は、ＵＳ２０１０／０１８４６３４の段落［００２７］〜［００６８］に開示されており、その明示的な開示内容を参考として援用する。さらに、布地柔軟剤は、さらなる添加剤および助剤、特に香料、着色剤、粘度調整剤、消泡剤、防腐剤、有機溶媒、非シロキサン含有ポリマーを含んでもよい。特に、本発明による組成物は、０．００１重量％〜２５重量％、特に好ましくは０．０１重量％〜１５重量％の１つまたは複数の異なる添加剤または助剤を含んでもよい。
【００７１】
使用される香料は、先行技術からの布地柔軟剤に適していることが知られている任意の芳香剤または芳香剤混合物（特に香油形態のもの）であってよい。芳香剤または香りの例は、とりわけ、ＤＥ  １９７  ５１  １５１  Ａ１の第４頁第１１〜１７行に開示されている。より具体的には、本発明による組成物は、全組成に対し、１つまたは複数の香料を０．０１重量％〜１０重量％、特に好ましくは０．１重量％〜５重量％含んでいてもよい。
【００７２】
使用される染料は、先行技術からの布地柔軟剤に適していることが知られている任意の染料であってよく、水溶性染料が好ましい。適切な市販の水溶性染料の例は、ＳＡＮＤＯＬＡＮ（登録商標）Ｗａｌｋｂｌａｕ  ＮＢＬ  １５０（製造業者：Ｃｌａｒｉａｎｔ社）およびＳｉｃｏｖｉｔ（登録商標）Ａｚｏｒｕｂｉｎ  ８５  Ｅ１２２（製造業者：ＢＡＳＦ社）である。より具体的には、本発明による組成物は、１つまたは複数の染料を０．００１重量％〜０．１重量％、より好ましくは０．００２重量％〜０．０５重量％含んでいてもよい。
【００７３】
粘度を低下させるための粘度調整剤は、組成物の全組成に対し、好ましくは０．０５重量％〜２重量％の、アルカリ金属もしくはアルカリ土類金属塩、またはそれらの混合物、好ましくは塩化カルシウムであってよい。
【００７４】
粘度を増加させるための粘度調整剤は、先行技術から知られている増粘剤であってよく、ＷＯ２００７／１２５００５から知られているポリウレタン増粘剤が好ましい。適切な増粘剤の例は、ＴＥＧＯ（登録商標）Ｖｉｓｃｏ  Ｐｌｕｓ  ３０３０（Ｅｖｏｎｉｋ  Ｒｅｓｏｕｒｃｅ  Ｅｆｆｉｃｉｅｎｃｙ  ＧｍｂＨ社）、Ａｃｕｓｏｌ（登録商標）８８０および８８２（Ｒｏｈｍ＆Ｈａａｓ社）、Ｒｈｅｏｖｉｓ（登録商標）ＣＤＥ（ＢＡＳＦ社）、Ｒｏｈａｇｉｔ（登録商標）ＫＦ  ７２０  Ｆ（Ｅｖｏｎｉｋ  Ｐｅｒｆｏｒｍａｎｃｅ  Ｍａｔｅｒｉａｌｓ  ＧｍｂＨ社）、およびＰｏｌｙｇｅｌ（登録商標）Ｋ１００（Ｎｅｏｃｈｅｍ  ＧｍｂＨ社）である。
【００７５】
使用される消泡剤は、先行技術から適切であることが知られている任意の消泡剤であってよい。適切な市販の消泡剤の例は、ＤｏｗＣｏｒｎｉｎｇ（登録商標）ＤＢ−１１０ＡおよびＴＥＧＯ（登録商標）Ａｎｔｉｆｏａｍ（登録商標）７００１  ＸＰである。特に、本発明による組成物は、１つまたは複数の異なる消泡剤を０．０００１重量％〜０．０５重量％、好ましくは０．００１重量％〜０．０１重量％含んでいてもよい。
【００７６】
本発明の文脈における用語「防腐剤」は、微生物、特に細菌の増殖を抑制する薬剤を意味すると理解されるべきである。防腐剤として、布地柔軟剤は、例えば、先行技術から適切であることが知られている活性な殺菌性のおよび／または殺真菌性の成分を含んでいてもよく、水溶性活性成分が好ましい。適切な市販の殺菌剤の例は、メチルパラベン、２−ブロモ−２−ニトロプロパン−１，３−ジオール、２−メチル−４−イソチアゾリン−３−オン、および５−クロロ−２−メチル−４−イソチアゾリン−３−オンである。水性布地柔軟剤は、同様に防腐剤として酸化防止剤を含んでいてもよい。適切な市販の酸化防止剤の例は、アスコルビン酸、２，６−ジ−ｔｅｒｔ−ブチル−４−メチルフェノール（ＢＨＴ）、ブチルヒドロキシアニソール（ＢＨＡ）、トコフェロール、および没食子酸プロピルである。特に、本発明による組成物は、１つまたは複数の異なる防腐剤を０．０００１重量％〜０．５重量％、より好ましくは０．００１重量％〜０．２重量％含んでいてもよい。特に、本発明による組成物は、１つまたは複数の異なる酸化防止剤を０．００１重量％〜０．１重量％、好ましくは０．００１重量％〜０．０１重量％含んでいてもよい。
【００７７】
有機溶媒として、洗濯および洗浄配合物、特に布地柔軟剤は、短鎖アルコール、グリコール、およびグリコールモノエーテルを含んでもよく、エタノール、２−プロパノール、１，２−プロパンジオール、およびジプロピレングリコールが好ましい。特に、本発明による組成物は、１つまたは複数の異なる有機溶媒を０．１重量％〜１０重量％、特に好ましくは０．２重量％〜５重量％含んでいてもよい。
【００７８】
洗濯および洗浄配合物、特に布地柔軟剤は、１つまたは複数の非シロキサン含有ポリマーを含んでいてもよい。これらの例は、カルボキシメチルセルロース、ポリエチレングリコール、ポリビニルアルコール、ポリ（メタ）アクリレート、ポリエチレンイミン、または多糖類である。特に、本発明による組成物は、１つまたは複数の異なる非シロキサン含有ポリマーを０．０１重量％〜２５重量％、特に好ましくは０．１重量％〜１０重量％を含んでいてもよい。
【００７９】
しかし、前述の追加の成分、好ましくは香料、皮膚軟化剤または防虫剤の１つまたは複数を、濃縮物に組み込むこともでき、すなわち、濃縮物の構成成分とすることもできる。したがって、これらの成分は、濃縮物の構成成分として、および／または本発明による洗濯および洗浄配合物、特に布地柔軟化配合物中の別個の構成成分として、存在してもよい。
【００８０】
特定の添加剤および助剤の量は、使用目的に応じて決定される。それぞれの用途のための典型的な境界配合物は、公知の先行技術であり、かつ、例えば特定の基剤および活性成分の製造業者のカタログに記載されている。これらの既存の配合は、一般的に変更なしで採用され得る。しかし、必要であれば、調整と最適化のために、複雑な作業を行わずに簡単なテストによって所望の変更が行われてよい。
【００８１】
以下に述べる実施例は、例として本発明を説明するものであり、発明の適用範囲は、明細書および特許請求の範囲全体から明らかであり、発明を実施例に規定された実施形態に限定するものではない。
【００８２】
Ｄ．濃縮物の製造例：
一般的な手順：
本発明による濃縮物を製造するために、成分Ａ〜Ｄおよび任意成分ＥおよびＦを、以下の表１に規定される量で、多くのエネルギーを費やすことなく、室温で一緒に撹拌した。表１に記載されている量はすべて、濃縮物の総質量に対する質量値のパーセンテージである。発明性のある実施例のすべてにおいて、透明な濃縮物が形成された。
【００８３】
次の成分を使用した：
成分Ａ（有機変性シリコーン）：
−以下でポリシロキサン１と呼ばれるＮ含有ポリシロキサン（ＥＰ２５５７１０７Ａ１によるアミノ／グアニジノ変性シロキサン）
−Ｎ含有ポリシロキサン（アミノ変性シロキサン、ＡＢＩＬ  ＳＯＦＴ  ＡＦ  ３００、アミノプロピルジメチコン、Ｅｖｏｎｉｋ  Ｎｕｔｒｉｔｉｏｎ  ＆  Ｃａｒｅ  ＧｍｂＨ社）
−アルキルおよびポリエーテル変性シロキサン（ＴＥＧＯＰＲＥＮ  ７００９、セチルジメチコーンコポリオール、Ｅｖｏｎｉｋ  Ｎｕｔｒｉｔｉｏｎ  ＆  Ｃａｒｅ  ＧｍｂＨ社）
−アルキル変性シロキサン（ＡＢＩＬ  ＷＡＸ  ９８４０、セチルジメチコーン、Ｅｖｏｎｉｋ  Ｎｕｔｒｉｔｉｏｎ  ＆  Ｃａｒｅ  ＧｍｂＨ社）
【００８４】
成分Ｂ（エステル油）：
−ＲＥＷＯＣＡＲＥ  ＤＯＣ（炭酸ジエチルヘキシル、Ｅｖｏｎｉｋ  Ｎｕｔｒｉｔｉｏｎ  ＆  Ｃａｒｅ  ＧｍｂＨ社）；
−Ｔｅｇｏｓｏｆｔ  ＤＥＣ（炭酸ジエチルヘキシル、Ｅｖｏｎｉｋ  Ｎｕｔｒｉｔｉｏｎ  ＆  Ｃａｒｅ  ＧｍｂＨ社）；
−Ｔｅｇｏｓｏｆｔ  Ｍ（ミリスチン酸イソプロピル、Ｅｖｏｎｉｋ  Ｎｕｔｒｉｔｉｏｎ  ＆  Ｃａｒｅ  ＧｍｂＨ社）；
−ロキサノール（登録商標）ＭＩ  ６４６０（ラウリン酸イソプロピル、ＢＡＳＦ社）
−Ｔｅｇｏｓｏｆｔ  Ｐ（パルミチン酸イソプロピル、Ｅｖｏｎｉｋ  Ｎｕｔｒｉｔｉｏｎ  ＆  Ｃａｒｅ  ＧｍｂＨ社）
−オレイン酸イソプロピル
−菜種ディーゼル（菜種メチルエステル）
−オリーブオイル（植物油）
【００８５】
成分Ｃ（界面活性剤）：
−Ｔｏｍａｄｏｌ  ２３−１（１分子あたり平均１個のエチレンオキシド基を有し、モル質量が２３８であるエトキシル化直鎖アルコール；非イオン性界面活性剤、Ｅｖｏｎｉｋ  Ｎｕｔｒｉｔｉｏｎ  ＆  Ｃａｒｅ  ＧｍｂＨ社）
−Ｔｏｍａｄｏｌ  １−５（１分子あたり平均５個のエチレンオキシド基を有し、分子量が３９２であるエトキシル化直鎖アルコール；非イオン性界面活性剤、Ｅｖｏｎｉｋ  Ｎｕｔｒｉｔｉｏｎ  ＆  Ｃａｒｅ  ＧｍｂＨ社）
−Ｔｏｍａｄｏｌ  ２３−５（１分子あたり平均５個のエチレンオキシド基を有し、分子量が４０１であるエトキシル化直鎖アルコール；非イオン性界面活性剤、Ｅｖｏｎｉｋ  Ｎｕｔｒｉｔｉｏｎ  ＆  Ｃａｒｅ  ＧｍｂＨ社）
−Ｔｏｍａｄｏｌ  ２３−３（非イオン性界面活性剤、Ｅｖｏｎｉｋ  Ｎｕｔｒｉｔｉｏｎ  ＆  Ｃａｒｅ  ＧｍｂＨ社）
−ＴＥＧＯ  Ａｌｋａｎｏｌ  ＴＤ  ６（イソトリデシル６−エトキシレート；  Ｅｖｏｎｉｋ  Ｎｕｔｒｉｔｉｏｎ  ＆  Ｃａｒｅ  ＧｍｂＨ社）
−Ｌｉａｌ  １２３（Ｃ１２−Ｃ１３−アルコール；Ｓａｓｏｌ社）
−ＴＥＧＯ  Ａｌｋａｎｏｌ  Ｓ２Ｐ（ステアレス−２、Ｅｖｏｎｉｋ  Ｎｕｔｒｉｔｉｏｎ  ＆  Ｃａｒｅ  ＧｍｂＨ社）
−Ｔｅｇｏ  ＳＴＯ  Ｖ（ソルビタントリオレエート、Ｅｖｏｎｉｋ  Ｎｕｔｒｉｔｉｏｎ  ＆  Ｃａｒｅ  ＧｍｂＨ社）
−Ｔｅｇｏ  ＳＭＯ  Ｖ（オレイン酸ソルビタン、Ｅｖｏｎｉｋ  Ｎｕｔｒｉｔｉｏｎ  ＆  Ｃａｒｅ  ＧｍｂＨ社）
−Ｌｕｔｅｎｓｏｌ  ＴＯ  ２（平均２個のエチレンオキシド基を有するエトキシル化ｉｓｏ−Ｃ１３−アルコール、ＢＡＳＦ社）
−Ｔｏｍａｄｏｌ  １２００（エトキシル化非イオン性界面活性剤、Ｅｖｏｎｉｋ  Ｎｕｔｒｉｔｉｏｎ  ＆  Ｃａｒｅ  ＧｍｂＨ社）
−Ｔｅｒｇｉｔｏｌ  １５−Ｓ−３（エトキシル化非イオン性界面活性剤、２級アルコールのエトキシレート、Ｔｈｅ  Ｄｏｗ  Ｃｏｍｐａｎｙ社）
−Ｔｅｇｏ  Ｃａｒｅ  ＰＳＣ  ３（ポリグリセリル−３ジシトレート／ステアレート、Ｅｖｏｎｉｋ  Ｎｕｔｒｉｔｉｏｎ  ＆  Ｃａｒｅ  ＧｍｂＨ社）
【００８６】
成分Ｄ（溶剤）：
−プロピレングリコールｎ−ブチルエーテル（Ｄｏｗａｎｏｌ  ＰｎＢ；Ｔｈｅ  Ｄｏｗ  Ｃｏｍｐａｎｙ社）
−ジプロピレングリコールｎ−ブチルエーテル（Ｄｏｗａｎｏｌ  ＤＰｎＢ；Ｔｈｅ  Ｄｏｗ  Ｃｏｍｐａｎｙ社）
−ジプロピレングリコールモノメチルエーテル（Ｄｏｗａｎｏｌ  ＤＰＭ；Ｔｈｅ  Ｄｏｗ  Ｃｏｍｐａｎｙ社）
−ジプロピレングリコールｎ−プロピルエーテル（Ｄｏｗａｎｏｌ  ＤＰｎＰ；Ｔｈｅ  Ｄｏｗ  Ｃｏｍｐａｎｙ社）
−イソプロパノール
−ヘキシレングリコールＢＤＧ（ジエチレングリコールモノブチルエーテル、ブチルジグリコール、ＢＡＳＦ社）
【００８７】
成分Ｅ：
−水
【００８８】
成分Ｆ（任意添加剤）：
−ＨＣｌ溶液、２０％水溶液、以下、ＨＣｌと略記
【００８９】
【表１−１】
2020535256.tif 000007
【表１−２】
2020535256.tif 000008
【表１−３】
2020535256.tif 000009
【表１−４】
2020535256.tif 000010
【表１−５】
2020535256.tif 000011
【表１−６】
2020535256.tif 000012
【表１−７】
2020535256.tif 000013
【表１−８】
2020535256.tif 000014
【００９０】
比較例
比較例として、ＥＰ２５５７１０７Ａ１によるマイクロエマルションを使用した。組成を表２に示す。
【表２】
2020535256.tif 000015
【００９１】
比較例は、ＥＰ２５５７１０７Ａ１による濃縮物は、相分離が生じたため、高温で十分な貯蔵安定性を示さないことを示している。
Ｅ．使用例
Ｅ１．布地柔軟化組成物の製造
比較例Ｖ１およびＶ２の布地柔軟化配合物を製造するために、ＲＥＷＯＱＵＡＴ  ＷＥ  １８（Ｅｖｏｎｉｋ  Ｎｕｔｒｉｔｉｏｎ  ＆  Ｃａｒｅ  ＧｍｂＨ社の商品名、有効成分が９０％のトリエタノール系エステルクアット）を、表３に記載されている量で、５０℃に加熱し、撹拌しながら、表３に記載されている量の３５℃に加熱された水道水と、表３に記載されている量の１％染料溶液と、に加えた。その後、プロペラスターラーを用いて５０℃で２０分間攪拌した。分散液を約１時間かけて室温まで冷却した。次に、香油（３ｇ）を室温で加えた。
【００９２】
比較例Ｖ３は、混合物を２０分かけて３０℃に冷却し、最終工程において、香油の他に、ＥＰ２５５７１０７Ａ１によるアミノシロキサンマイクロエマルションを、表３に記載の量で加えたこと以外は、Ｖ１およびＶ２と同様に実施された。マイクロエマルションの組成は、表２に記載されている。
【００９３】
本発明の布地柔軟化配合物Ｗ１およびＷ２は、最終工程において、表２によるマイクロエマルションの代わりに、実施例Ｂ１およびＢ２からなる本発明の濃縮物を加えたこと以外は、Ｖ３と同様に製造された。布地柔軟剤Ｖ１〜Ｖ３およびＷ１〜Ｗ２の組成を表３にまとめる。
【表３】
2020535256.tif 000016
【００９４】
Ｅ２．綿生地の前処理
坪量約３５０ｇ／ｍ２の８０ｃｍ×５０ｃｍの綿テリークロス生地（ＷＦＫ試験生地、ＷＦＫ  １２  Ａ）を、４０℃で、強力洗濯用洗剤で２回洗浄し、２回すすぎ、シングルプライのラインに掛けて回転させ風乾した。
【００９５】
Ｅ３．手触り
布に対する本発明の濃縮物の軟化活性を測定するために、Ｅ２からなる綿タオルを布地柔軟剤Ｖ１〜３、Ｗ１およびＷ２で処理した。
【００９６】
Ｅ３．１．綿生地の処理
表３の布地柔軟剤を冷たい水道水でそれぞれ希釈して、０．０２５重量％の活性布地コンディショニング物質を含むリンス溶液を得た。
【００９７】
綿タオルをリンス溶液２リットルに１０分間浸した。タオルがリンス溶液によって均一に濡らされていることを確認しなければならない。続いて、タオルをシングルプライのラインに掛けて、室温で回転させ乾燥させた。処理した綿のテリークロスタオルを、１６ｃｍ×２５ｃｍの１０個の同一のピースに切り分けた。
【００９８】
Ｅ３．２．手触りの評価
手触りを評価するために、９人のテスターからなる経験豊富なチームを編成し、ハンドパネルテストを使用して、Ｅ３．１の非特定化されたサンプルを評価した。このテストでは、各テスターが独自の綿タオルを受け取る。評価は、０（硬くて不快な感触）〜５（柔らかく心地よい感触）までのスケールで行われ、中間の整数値を選択できる。手触りの評価では、個々の評価を合計した。つまり、９人のテスターがいる場合、手触りの最大値は４５である。
加えて、サンプルには、明確なマーキングのない未処理のサンプル（空試験値）が常に含まれていた。
手触りの評価結果を表４に示す。
【表４】
2020535256.tif 000017
【００９９】
表４は、本発明の濃縮物を０．６重量％含有する布地柔軟化配合物Ｗ１およびＷ２が、本発明の濃縮物を含まない布地柔軟剤Ｖ１よりも優れた柔らかい手触りをもたらすことを示している。本発明の濃縮物を使用せずにＷ２に匹敵する柔らかな手触りを達成するためには、Ｖ２中のＷＥ１８濃度は、Ｖ１と比較して最大３０％増加させなければならなかった（Ｖ１：６重量％およびＶ２：８重量％）。したがって、本発明の濃縮物の使用は、著しく効果的である。
【０１００】
Ｅ４．香りの保持
香料を含有するマイクロエマルションの布地に対する香り保持効果を測定するために、綿タオルをそれで処理した。
【０１０１】
Ｅ４．１．綿生地の処理
綿生地をＥ３．１と同様に処理した。
【０１０２】
Ｅ２．３．２．香り保持の評価
香り保持を評価するために、１１人の個別のテスターからなる経験豊富なチームを編成し、臭気パネルテストを使用して、布地柔軟剤Ｖ１、Ｖ３、Ｗ１およびＷ２で処理した綿生地の非特定化された匂いサンプルを評価した。このテストでは、各テスターが独自の綿タオルを受け取る。１つの臭気パネルで、２つ以下の異なる布を互いに比較して評価した。評価は、１（香りが弱い）〜２（香りが強い）までのスケールで行われ、すべてのテスターの最終合計において中間の整数値を選択できる。臭気評価では、個々の評価を合計した。つまり、１１人のテスターがいる場合、最大値は２２である。香り保持の評価は、布地を処理した２４時間後と７日後に行った。
結果を表５にまとめる。
【表５】
2020535256.tif 000018
【０１０３】
表５の結果は、本発明の濃縮物を含む布地柔軟剤が、特に７日後に、最も良好な香り保持をもたらすことを示している。
【国際調査報告】
2020535256.tif 000021
2020535256.tif 000022
2020535256.tif 000023
2020535256.tif 000024
2020535256.tif 000025